【手続補正書】
【提出日】平成23年12月22日(2011.12.22)
【手続補正１】
【補正対象書類名】特許請求の範囲
【補正対象項目名】全文
【補正方法】変更
【補正の内容】
【特許請求の範囲】
【請求項１】
３つ以上の塩成分を含む、常温（25℃)で液形態である複合イオン液体であって、該塩成分の少なくとも１つの溶融温度が常温(25℃)よりも高温であり、該塩成分の少なくとも３つはカチオンを含み、該カチオンが、N+、P+、C+、S+、及びそれらの組み合わせの群から選択される少なくとも１つの荷電原子を含む有機化合物から独立に選択され、該有機化合物が１つ以上のヘテロ原子を含む、複合イオン液体。
【請求項２】
前記塩成分がイオン液体である、請求項１に記載の複合イオン液体。
【請求項３】
前記塩成分の前記カチオンが、独立に、次の化学構造式で示されるカチオンから選択される、請求項１又は２に記載の複合イオン液体。
【化１】
2011509503.tif 000001
該式中、
1)Rは独立に、
H（ただし、ヘテロ原子に結合している少なくとも1つのRはHでない。）、
1-20の炭素原子を含有する直鎖アルキル又は分岐アルキル、
2-20の炭素原子と１つ以上の二重結合とを含有する直鎖アルケニル又は分岐アルケニル、
2-20の炭素原子と１つ以上の三重結合とを含有する直鎖アルキニル又は分岐アルキニル、
3-7の炭素原子を含有する飽和、部分飽和又は完全不飽和の環状アルキル、
それぞれのRがヘテロ原子に結合されていないという条件で、F又はClであるハロゲン、
それぞれのRが正電荷によってヘテロ原子に結合されていなく、かつ、少なくとも１つのRがNO2ではないという条件で-NO2、及び
それぞれのRが正電荷によってヘテロ原子に結合されていなく、かつ、少なくとも１つのRがCNではないという条件で-CN、
から選択され、
(2)個々のRは様々な場合において同一又は異なり、
２つ以上のRは１つ以上の単結合及び／又は二重結合によって互いに結合されてよく、
少なくとも１つのRがハロゲン化されていないという条件で、１つ以上のRは、F又はClであるハロゲンによって部分的に若しくは完全に水素が置換されるか、又は-CN若しくは-NO2によって部分的に置換され、
Rの１つ若しくは２つの炭素原子はヘテロ原子によって置換されるか、又は-O-、C(O)-、C(O)O-、-S-、-S(O)-、-SO2-、-S(O)2O-、-N=、-P=、-NR'-、-PR'-、-P(O)(OR')-、-P(O)(OR')O-、-P(O)(NR'R')-、-P(O)(NR'R')O-、-P(O)(NR'R')NR'-、-S(O)NR'-若しくは-S(O)2NR'-から選択され、
該式中、R'は、H、1-6の炭素原子を含有する非フッ素化、部分フッ素化若しくは完全フッ素化のアルキル、又は非フッ素化、部分フッ素化若しくは完全フッ素化のフェニルである。
【請求項４】
前記塩成分のアニオンが、独立に、次の化学式で示されるアニオンから選択される、請求項１から３のいずれか１項に記載の複合イオン液体。
【化２】
2011509503.tif 000002
該式中、nは1-20の整数値であり、mは０、1、2、又は3であり、yは０、1、2、3又は4であり、zは０、1、2、又は3であり、
1)RF及びRF'は、独立に、
1-20の炭素原子を含有する完全にフッ素化されたアルキル（ただし、RF'はトリフルオロメチルを含まない。）、
2-20の炭素原子及び１つ以上の二重結合を含有する完全にフッ素化されたアルケニル、
完全にフッ素化されたフェニル、又は
飽和、部分不飽和及び／若しくは完全に不飽和のシクロアルキルから選択され、
シクロアルキルはペルフルオロアルキルによって置換されてもよく、
2)アニオン中に２つ以上のRF又はRF'が存在する場合には、RF又はRF'は１つ以上の単結合若しくは二重結合によって互いに結合されてよく、環状、二環状又多環状構造を形成してよく、
3)ヘテロ原子に対してα位ではない、置換基RF又はRF'の１つの炭素原子又は２つの隣接しない炭素原子は、-O-、-C(O)-、-S-、-S(O)-、-SO2-、-N=、-N=N-、-NR'-、-PR'-及び-P(O)R'-から選択される原子及び／又は原子団によって置換されてもよいし、又はR'-0-SO2-又はR'-O-C(O)-の末端基を有してもよい、そしてR'は、1-6の炭素原子を含有する非フッ素化、部分フッ素化若しくは完全フッ素化のアルキル、3-7の炭素原子を含有する飽和若しくは部分飽和の環状アルキル基、無置換若しくは置換のフェニル、又は無置換若しくは置換のヘテロ環を表し、
4)RF及びRF'を含む２つ以上のアニオンは、共通のRF又はRF'によって互いに結合されてよく、それによって、前記で示したように、負電荷の2つのアニオンを含む単一分子を形成し、
5)置換基RF又はRF'は、２つの原子、２つのラジカル、又は-SO2X'、-O-、-SO2-、及び-NR'から選択される末端基を有してよく、原子、ラジカル又は末端基はα位に存在しなく、これらの２つは互いに結合しなく、R'は1-6の炭素原子を含有する非フッ素化、部分フッ素化若しくは完全フッ素化のアルキルであるか、3-7の炭素原子を含有する置換若しくは無置換のシクロアルキルであるか、置換若しくは無置換のフェニルであるか、又は置換若しくは無置換のヘテロ環であり、X'はF、Cl、又はBrであり、
6)置換基R1は、独立に、
H（ただし、ヘテロ原子に結合している少なくとも1つのR1はHでない。）、
1-20の炭素原子を含有する直鎖アルキル、
2-20の炭素原子と１つ以上の二重結合とを含有するアルケニル（そのアルケニルは直鎖でもよいし、又は分岐でもよい。R1がアルケニル置換基である例は、プロペニル、2若しくは3-ブテニル、イソブテニル、二級ブテニル、 ペンテニル、イソペンテン、ヘキセニル、ヘプテニル、-C9H17、-C10H19〜-C20H39である。R1がアリル、ブテニル、イソブテニル又は二級ブテニルであることが好ましい。）
2-20の炭素原子と１つ以上の三重結合とを含有するアルキニル（分岐でも直鎖でもよい、そのようなアルキニルの好ましい例は、 include アセテニル、プロピニル、 ブチルアルキニル、ペンタアルキニル、ヘキサアルキニル、ヘプタアルキニル、-C9H15、又は-C10H17〜-C20H37である。最も好ましいアルキニル置換基R1は、アセテニル、1又は2-プロピニル、2又は3-ブチルアルキニル、4-ペンタアルキニル、3-ペンタアルキニル及びヘキサアルキニルである。）、及び
3-7の炭素原子を含有する飽和、部分飽和又は完全不飽和の環状アルキル基（その環状アルキル基は、1-6の炭素原子を含有するアルキルによって更に置換されてもよい。）
から選択され、R1はCN、SCN、SeCN、NO2及び／又はハロゲンによって部分的に置換されてもよく、そのハロゲンはF、Cl、Br、又はIであり、
7)ヘテロ原子に対してα位ではない、置換基のR1の１つの炭素原子又は２つの隣接しない炭素原子は、-O-、-C(O)-、-C (O)O-、-S-、-S(O)-、-SO2-、-SO3-、-N=、-N=N-、-NR'-、-PR'-、-P(O)R'-、-P(O)R'O-、PR'2=N-、-C(O)NH-、-C(O)NR'-、-SO2NH-又は-SO2NR'-から選択される原子及び／又は原子団によって置換されてもよく、そしてR'は、1-6の炭素原子を含有する非フッ素化、部分フッ素化若しくは完全フッ素化のアルキル、3-7の炭素原子を含有する飽和若しくは部分飽和の環状アルキル基、無置換若しくは置換のフェニル、又は無置換若しくは置換のヘテロ環を表す。
【請求項５】
前記塩成分の少なくとも１つが、I-、[B(CN)４]-、及びNCS-から成る群から選択されるアニオンを含む、請求項１から４のいずれか１項に記載の複合イオン液体。
【請求項６】
前記塩成分の少なくとも１つが、下記の式(I)で示されるカチオンを含む、請求項１から５のいずれか１項に記載の複合イオン液体。
【化３】
2011509503.tif 000003
該式中、R2及びR3は、互いに独立に、C1-C10アルキル、C1-C4アルキル及びC2-C10アルケニルから選択され、そのアルキル及びアルケニルは直鎖でもよいし、又は少なくとも３つの炭素を含むならば、分岐若しくは環状でもよく、そして部分又は全体にハロゲン化されてもよい。
【請求項７】
前記アルキルがC1-C4アルキルであり、前記アルケニルがC2-C4アルケニルである、請求項３から６のいずれか１項に記載の複合イオン液体。
【請求項８】
前記塩成分の少なくとも２つが、各々、異なるカチオンを含み、該異なるカチオンが、独立に、請求項３に記載の置換イミダゾリウム化合物、及び前記式(I)の化合物の群から選択される、請求項１から７のいずれか１項に記載の複合イオン液体。
【請求項９】
前記塩成分の少なくとも１つが、l-エチル-3-メチルイミダゾリウム(EMII)、1、3-ジメチルイミダゾリウム(DMII)、l-プロピル-3-メチルイミダゾリウム(PMII)、及びl-アリル-3-メチルイミダゾリウム(AMII)の群から選択される、請求項１から８のいずれか１項に記載の複合イオン液体。
【請求項１０】
請求項１から９のいずれか１項に記載の複合イオン液体を含む、電解質。
【請求項１１】
請求項１０に記載の電解質を含む、光電子及び／又は電気化学デバイス。
【請求項１２】
光電変換デバイス、光(太陽）電池及び色素増感の太陽電池から選ばれる、請求項１１に記載の光電子及び／又は電気化学デバイス。
【請求項１３】
請求項１から９のいずれか１項に記載の複合イオン液体を生産する方法であって、該方法が、
少なくとも３つの塩成分を混合する工程、
該少なくとも３つの塩成分が完全に溶融するまで、該混合された塩成分を加熱する工程であって、該加熱の温度が、最も高い溶融温度を有する塩成分の溶融を達成するために選択される工程、及び
均一に混合するために10-60分間で攪拌する工程を含み、それによって、常温溶融イオン液体を得る、方法。
【請求項１４】
請求項１から９のいずれか１項に記載の複合イオン液体を生産する方法であって、該方法が、
常温よりも高い溶融温度で溶媒中の少なくとも１つの塩成分を溶解する工程、
少なくとも２つであって、異なる塩成分を、溶解させた塩成分に添加する工程、
前記３つの塩成分と該溶媒とを5-30分間混合する工程、及び
真空ポンプを用いて、60-100℃の3-6時間で蒸発によって溶媒を除去する工程を含み、それによって、常温溶融イオン液体を得る、蒸発方法。
【請求項１５】
溶媒、滑剤、電解質又は触媒としての請求項１から９のいずれか１項に記載の複合イオン液体の使用。